【手続補正書】
【提出日】平成17年8月11日(2005.8.11)
【手続補正１】
【補正対象書類名】明細書
【補正対象項目名】特許請求の範囲
【補正方法】変更
【補正の内容】
【特許請求の範囲】
【請求項１】
被測定信号の１周期またはその整数倍に関連する期間、基準クロックをカウントする第１のカウンタと、前記被測定信号と前記基準クロックとの時間差を検出する時間差検出回路と、この時間差検出回路の出力パルス幅を所定の倍率だけ拡大する時間幅拡大回路と、この時間幅拡大回路が拡大したパルス幅の間、基準クロックをカウントする第２のカウンタとを有し、
前記第１および前記第２のカウンタのカウント値から前記被測定信号の周波数を求めるようにし、
前記時間幅拡大回路は、所定の電圧で充電される第１の時定数回路と、この第１の時定数回路より大きな時定数を有し、所定の電圧で充電される第２の時定数回路と、これら第１および第２の時定数回路の出力電圧を比較する比較器と、この比較器の出力およびスタート信号に関連する信号が入力され、このスタート信号に関連する信号のパルス幅の間前記比較器の出力に関連する信号を出力するゲート回路とを有し、
前記時間差検出回路の出力パルス幅の間前記第１の時定数回路に蓄えられた電荷を放電し、前記スタート信号のパルス幅の間前記第２の時定数回路に蓄えられた電荷を放電するようにした
ことを特徴とする周波数測定回路。
【請求項２】
被測定信号の１周期またはその整数倍に関連する期間、基準クロックをカウントする第１のカウンタと、前記被測定信号と前記基準クロックとの時間差を検出する時間差検出回路と、この時間差検出回路の出力パルス幅を所定の倍率だけ拡大する時間幅拡大回路と、この時間幅拡大回路が拡大したパルス幅の間、基準クロックをカウントする第２のカウンタとを有し、
前記第１および前記第２のカウンタのカウント値から前記被測定信号の周波数を求めるようにし、
前記時間幅拡大回路は、一定の電源電圧と共通電位点との間に設置された、第１分圧回路及び第２分圧回路と、前記第１分圧回路の分圧点を反転入力端子に接続するとともに前記第２分圧回路の分圧点を一定のスレッショルド電圧として非反転入力端子に接続して積分器を形成する演算増幅器と、前記演算増幅器の出力を反転入力端子に接続するとともに前記第２分圧回路の分圧点を一定のスレッショルド電圧として非反転入力端子に接続する比較器とを有し、
前記時間差信号の入力により前記積分器内のコンデンサに蓄えられた電荷が放電するようにした
ことを特徴とする周波数測定回路。
【請求項３】
前記第２のカウンタのカウント値を前記時間幅拡大回路がパルス幅を拡大する前記所定の倍率により除算し、この除算した結果を前記第１のカウンタのカウント値に加算することによって、前記被測定信号の周波数を求めるようにし、
前記時間差検出回路は、前記被測定信号のレベルが変化してから前記基準クロックのレベルが変化するまでの間のパルス幅を有するパルス信号を出力するようにした
ことを特徴とする請求項１または請求項２の何れかに記載の周波数測定回路。
【請求項４】
振動式圧力センサの１周期またはその整数倍に関連する期間、基準クロックをカウントする第１のカウンタと、前記被測定信号と前記基準クロックとの時間差を検出する時間差検出回路と、この時間差検出回路の出力パルス幅を所定の倍率だけ拡大する時間幅拡大回路と、この時間幅拡大回路が拡大したパルス幅の間、基準クロックをカウントする第２のカウンタとを有し、
前記第１および前記第２のカウンタのカウント値から前記被測定信号の周波数を求め、この周波数から圧力を求めるようにし、
前記時間幅拡大回路は、所定の電圧で充電される第１の時定数回路と、この第１の時定数回路より大きな時定数を有し、所定の電圧で充電される第２の時定数回路と、これら第１および第２の時定数回路の出力電圧を比較する比較器と、この比較器の出力およびスタート信号に関連する信号が入力され、このスタート信号に関連する信号のパルス幅の間前記比較器の出力に関連する信号を出力するゲート回路とを有し、
前記時間差検出回路の出力パルス幅の間前記第１の時定数回路に蓄えられた電荷を放電し、前記スタート信号のパルス幅の間前記第２の時定数回路に蓄えられた電荷を放電するようにした
ことを特徴とする振動センサ式差圧・圧力伝送器。
【請求項５】
振動式圧力センサの１周期またはその整数倍に関連する期間、基準クロックをカウントする第１のカウンタと、前記被測定信号と前記基準クロックとの時間差を検出する時間差検出回路と、この時間差検出回路の出力パルス幅を所定の倍率だけ拡大する時間幅拡大回路と、この時間幅拡大回路が拡大したパルス幅の間、基準クロックをカウントする第２のカウンタとを有し、
前記第１および前記第２のカウンタのカウント値から前記被測定信号の周波数を求め、この周波数から圧力を求めるようにし、
前記時間幅拡大回路は、一定の電源電圧と共通電位点との間に設置された、第１分圧回路及び第２分圧回路と、前記第１分圧回路の分圧点を反転入力端子に接続するとともに前記第２分圧回路の分圧点を一定のスレッショルド電圧として非反転入力端子に接続して積分器を形成する演算増幅器と、前記演算増幅器の出力を反転入力端子に接続するとともに前記第２分圧回路の分圧点を一定のスレッショルド電圧として非反転入力端子に接続する比較器とを有し、
前記時間差信号の入力により前記積分器内のコンデンサに蓄えられた電荷が放電するようにした
ことを特徴とする振動センサ式差圧・圧力伝送器。
【請求項６】
前記第２のカウンタのカウント値を前記時間幅拡大回路がパルス幅を拡大する前記所定の倍率により除算し、この除算した結果を前記第１のカウンタのカウント値に加算することによって、前記被測定信号の周波数を求めるようにし、
前記時間差検出回路は、前記被測定信号のレベルが変化してから前記基準クロックのレベルが変化するまでの間のパルス幅を有するパルス信号を出力するようにした
ことを特徴とする請求項４または請求項５の何れかに記載の振動センサ式差圧・圧力伝送器。
【請求項７】
振動式圧力センサの１周期またはその整数倍に関連する期間、基準クロックをカウントする第１のカウンタと、前記被測定信号と前記基準クロックとの時間差を検出する時間差検出回路と、この時間差検出回路の出力パルス幅を所定の倍率だけ拡大する時間幅拡大回路と、この時間幅拡大回路が拡大したパルス幅の間、基準クロックをカウントする第２のカウンタとを有し、
前記第１および前記第２のカウンタのカウント値から前記被測定信号の周波数を求め、この周波数から圧力を求めるようにし、
前記時間幅拡大回路は、一定の電源電圧と共通電位点との間に設置された、第１分圧回路及び第２分圧回路と、前記第１分圧回路の分圧点を反転入力端子に接続するとともに前記第２分圧回路の分圧点を一定のスレッショルド電圧として非反転入力端子に接続して積分器を形成する演算増幅器と、前記演算増幅器の出力を反転入力端子に接続するとともに前記第２分圧回路の分圧点を一定のスレッショルド電圧として非反転入力端子に接続する比較器とを有し、
前記時間差信号の入力により前記積分器内のコンデンサに蓄えられた電荷が放電するようにし、
前記第１分圧回路の分圧点（Ｂ１）と前記共通電位点との間に前記第１分圧回路の抵抗（Ｒ１）とＦＥＴスイッチ（Ｑ１）とが直列に接続され、
前記演算増幅器の反転入力端子と前記演算増幅器の出力端子との間にコンデンサ（Ｃ１）が接続され、
前記コンデンサ（Ｃ１）に定電圧ダイオード（Ｄ３）とダイオード（Ｄ４）との直列回路が並列接続された
ことを特徴とする振動センサ式差圧・圧力伝送器。
【手続補正２】
【補正対象書類名】明細書
【補正対象項目名】０００８
【補正方法】変更
【補正の内容】
【０００８】
【課題を解決するための手段】
このような課題を解決する本発明は以下のとおりである。
（１）被測定信号の１周期またはその整数倍に関連する期間、基準クロックをカウントする第１のカウンタと、前記被測定信号と前記基準クロックとの時間差を検出する時間差検出回路と、この時間差検出回路の出力パルス幅を所定の倍率だけ拡大する時間幅拡大回路と、この時間幅拡大回路が拡大したパルス幅の間、基準クロックをカウントする第２のカウンタとを有し、前記第１および前記第２のカウンタのカウント値から前記被測定信号の周波数を求めるようにし、前記時間幅拡大回路は、所定の電圧で充電される第１の時定数回路と、この第１の時定数回路より大きな時定数を有し、所定の電圧で充電される第２の時定数回路と、これら第１および第２の時定数回路の出力電圧を比較する比較器と、この比較器の出力およびスタート信号に関連する信号が入力され、このスタート信号に関連する信号のパルス幅の間前記比較器の出力に関連する信号を出力するゲート回路とを有し、前記時間差検出回路の出力パルス幅の間前記第１の時定数回路に蓄えられた電荷を放電し、前記スタート信号のパルス幅の間前記第２の時定数回路に蓄えられた電荷を放電するようにしたことを特徴とする周波数測定回路。
（２）被測定信号の１周期またはその整数倍に関連する期間、基準クロックをカウントする第１のカウンタと、前記被測定信号と前記基準クロックとの時間差を検出する時間差検出回路と、この時間差検出回路の出力パルス幅を所定の倍率だけ拡大する時間幅拡大回路と、この時間幅拡大回路が拡大したパルス幅の間、基準クロックをカウントする第２のカウンタとを有し、前記第１および前記第２のカウンタのカウント値から前記被測定信号の周波数を求めるようにし、前記時間幅拡大回路は、一定の電源電圧と共通電位点との間に設置された、第１分圧回路及び第２分圧回路と、前記第１分圧回路の分圧点を反転入力端子に接続するとともに前記第２分圧回路の分圧点を一定のスレッショルド電圧として非反転入力端子に接続して積分器を形成する演算増幅器と、前記演算増幅器の出力を反転入力端子に接続するとともに前記第２分圧回路の分圧点を一定のスレッショルド電圧として非反転入力端子に接続する比較器とを有し、前記時間差信号の入力により前記積分器内のコンデンサに蓄えられた電荷が放電するようにしたことを特徴とする周波数測定回路。
（３）前記第２のカウンタのカウント値を前記時間幅拡大回路がパルス幅を拡大する前記所定の倍率により除算し、この除算した結果を前記第１のカウンタのカウント値に加算することによって、前記被測定信号の周波数を求めるようにし、
前記時間差検出回路は、前記被測定信号のレベルが変化してから前記基準クロックのレベルが変化するまでの間のパルス幅を有するパルス信号を出力するようにしたことを特徴とする（１）または（２）の何れかに記載の周波数測定回路。
（４）振動式圧力センサの１周期またはその整数倍に関連する期間、基準クロックをカウントする第１のカウンタと、前記被測定信号と前記基準クロックとの時間差を検出する時間差検出回路と、この時間差検出回路の出力パルス幅を所定の倍率だけ拡大する時間幅拡大回路と、この時間幅拡大回路が拡大したパルス幅の間、基準クロックをカウントする第２のカウンタとを有し、前記第１および前記第２のカウンタのカウント値から前記被測定信号の周波数を求め、この周波数から圧力を求めるようにし、前記時間幅拡大回路は、所定の電圧で充電される第１の時定数回路と、この第１の時定数回路より大きな時定数を有し、所定の電圧で充電される第２の時定数回路と、これら第１および第２の時定数回路の出力電圧を比較する比較器と、この比較器の出力およびスタート信号に関連する信号が入力され、このスタート信号に関連する信号のパルス幅の間前記比較器の出力に関連する信号を出力するゲート回路とを有し、前記時間差検出回路の出力パルス幅の間前記第１の時定数回路に蓄えられた電荷を放電し、前記スタート信号のパルス幅の間前記第２の時定数回路に蓄えられた電荷を放電するようにしたことを特徴とする振動センサ式差圧・圧力伝送器。
（５）振動式圧力センサの１周期またはその整数倍に関連する期間、基準クロックをカウントする第１のカウンタと、前記被測定信号と前記基準クロックとの時間差を検出する時間差検出回路と、この時間差検出回路の出力パルス幅を所定の倍率だけ拡大する時間幅拡大回路と、この時間幅拡大回路が拡大したパルス幅の間、基準クロックをカウントする第２のカウンタとを有し、前記第１および前記第２のカウンタのカウント値から前記被測定信号の周波数を求め、この周波数から圧力を求めるようにし、前記時間幅拡大回路は、一定の電源電圧と共通電位点との間に設置された、第１分圧回路及び第２分圧回路と、前記第１分圧回路の分圧点を反転入力端子に接続するとともに前記第２分圧回路の分圧点を一定のスレッショルド電圧として非反転入力端子に接続して積分器を形成する演算増幅器と、前記演算増幅器の出力を反転入力端子に接続するとともに前記第２分圧回路の分圧点を一定のスレッショルド電圧として非反転入力端子に接続する比較器とを有し、前記時間差信号の入力により前記積分器内のコンデンサに蓄えられた電荷が放電するようにしたことを特徴とする振動センサ式差圧・圧力伝送器。
（６）前記第２のカウンタのカウント値を前記時間幅拡大回路がパルス幅を拡大する前記所定の倍率により除算し、この除算した結果を前記第１のカウンタのカウント値に加算することによって、前記被測定信号の周波数を求めるようにし、
前記時間差検出回路は、前記被測定信号のレベルが変化してから前記基準クロックのレベルが変化するまでの間のパルス幅を有するパルス信号を出力するようにしたことを特徴とする（４）または（５）の何れかに記載の振動センサ式差圧・圧力伝送器。
（７）振動式圧力センサの１周期またはその整数倍に関連する期間、基準クロックをカウントする第１のカウンタと、前記被測定信号と前記基準クロックとの時間差を検出する時間差検出回路と、この時間差検出回路の出力パルス幅を所定の倍率だけ拡大する時間幅拡大回路と、この時間幅拡大回路が拡大したパルス幅の間、基準クロックをカウントする第２のカウンタとを有し、前記第１および前記第２のカウンタのカウント値から前記被測定信号の周波数を求め、この周波数から圧力を求めるようにし、前記時間幅拡大回路は、一定の電源電圧と共通電位点との間に設置された、第１分圧回路及び第２分圧回路と、前記第１分圧回路の分圧点を反転入力端子に接続するとともに前記第２分圧回路の分圧点を一定のスレッショルド電圧として非反転入力端子に接続して積分器を形成する演算増幅器と、前記演算増幅器の出力を反転入力端子に接続するとともに前記第２分圧回路の分圧点を一定のスレッショルド電圧として非反転入力端子に接続する比較器とを有し、前記時間差信号の入力により前記積分器内のコンデンサに蓄えられた電荷が放電するようにし、前記第１分圧回路の分圧点（Ｂ１）と前記共通電位点との間に前記第１分圧回路の抵抗（Ｒ１）とＦＥＴスイッチ（Ｑ１）とが直列に接続され、前記演算増幅器の反転入力端子と前記演算増幅器の出力端子との間にコンデンサ（Ｃ１）が接続され、前記コンデンサ（Ｃ１）に定電圧ダイオード（Ｄ３）とダイオード（Ｄ４）との直列回路が並列接続されたことを特徴とする振動センサ式差圧・圧力伝送器。
また、このような課題を解決するために、本発明は、被測定信号の１周期またはその整数倍に関連する期間、基準クロックをカウントする第１のカウンタと、前記被測定信号と前記基準クロックとの時間差を検出する時間差検出回路と、この時間差検出回路の出力パルス幅を所定の倍率だけ拡大する時間幅拡大回路と、この時間幅拡大回路が拡大したパルス幅の間、基準クロックをカウントする第２のカウンタとを有し、前記第１および前記第２のカウンタのカウント値から前記被測定信号の周波数を求めるようにしたものである。基準クロックの周波数を高くすることなく、測定の高速化、高分解能化を図ることができる。
【手続補正３】
【補正対象書類名】明細書
【補正対象項目名】０００９
【補正方法】変更
【補正の内容】
【０００９】
さらに、本発明は、前記第２のカウンタのカウント値を前記時間幅拡大回路がパルス幅を拡大する前記所定の倍率により除算し、この除算した結果に前記第１のカウンタのカウント値を加算することによって、前記被測定信号の周波数を求めるようにしたものである。簡単に周波数を求めることができる。
【手続補正４】
【補正対象書類名】明細書
【補正対象項目名】００１０
【補正方法】変更
【補正の内容】
【００１０】
また、本発明は、前記時間差検出回路は、前記被測定信号のレベルが変化してから前記基準クロックのレベルが変化するまでの間のパルス幅を有するパルス信号を出力するようにしたものである。簡単に時間差信号を得ることができる。
【手続補正５】
【補正対象書類名】明細書
【補正対象項目名】００１１
【補正方法】変更
【補正の内容】
【００１１】
さらに、本発明は、前記時間幅拡大回路は、所定の電圧で充電される第１の時定数回路と、この第１の時定数回路より大きな時定数を有し、所定の電圧で充電される第２の時定数回路と、これら第１および第２の時定数回路の出力電圧を比較する比較器と、この比較器の出力およびスタート信号に関連する信号が入力され、このスタート信号に関連する信号のパルス幅の間前記比較器の出力に関連する信号を出力するゲート回路とを有し、前記時間差検出回路の出力パルス幅の間前記第１の時定数回路に蓄えられた電荷を放電し、前記スタート信号のパルス幅の間前記第２の時定数回路に蓄えられた電荷を放電するようにしたものである。簡単にパルス幅を拡大することができる。
【手続補正６】
【補正対象書類名】明細書
【補正対象項目名】００１２
【補正方法】変更
【補正の内容】
【００１２】
また、本発明は、前記時間幅拡大回路は、一定の電源電圧と共通電位点との間に設置された、第１分圧回路及び第２分圧回路と、前記第１分圧回路の分圧点を反転入力端子に接続するとともに前記第２分圧回路の分圧点を一定のスレッショルド電圧として非反転入力端子に接続して積分器を形成する演算増幅器と、前記演算増幅器の出力を反転入力端子に接続するとともに前記第２分圧回路の分圧点を一定のスレッショルド電圧として非反転入力端子に接続する比較器とを有し、前記時間差信号の入力により前記積分器内のコンデンサに蓄えられた電荷が放電するようにしたものである。
【手続補正７】
【補正対象書類名】明細書
【補正対象項目名】００１３
【補正方法】変更
【補正の内容】
【００１３】
さらに、本発明は、振動式圧力センサの１周期またはその整数倍に関連する期間、基準クロックをカウントする第１のカウンタと、前記被測定信号と前記基準クロックとの時間差を検出する時間差検出回路と、この時間差検出回路の出力パルス幅を所定の倍率だけ拡大する時間幅拡大回路と、この時間幅拡大回路が拡大したパルス幅の間、基準クロックをカウントする第２のカウンタとを有し、前記第１および前記第２のカウンタのカウント値から前記被測定信号の周波数を求め、この周波数から圧力を求めるようにしたものである。基準クロックの周波数を高くすることなく、圧力測定を高速化、高分解能化できる。
【手続補正８】
【補正対象書類名】明細書
【補正対象項目名】００１４
【補正方法】変更
【補正の内容】
【００１４】
また、本発明は、前記第２のカウンタのカウント値を前記時間幅拡大回路がパルス幅を拡大する前記所定の倍率により除算し、この除算した結果に前記第１のカウンタのカウント値を加算することによって、前記被測定信号の周波数を求めるようにしたものである。簡単に周波数を求めることができる。
【手続補正９】
【補正対象書類名】明細書
【補正対象項目名】００１５
【補正方法】変更
【補正の内容】
【００１５】
さらに、本発明は、前記時間差検出回路は、前記被測定信号のレベルが変化してから前記基準クロックのレベルが変化するまでの間のパルス幅を有するパルス信号を出力するようにしたものである。簡単に時間差信号を求めることができる。
【手続補正１０】
【補正対象書類名】明細書
【補正対象項目名】００１６
【補正方法】変更
【補正の内容】
【００１６】
また、本発明は、前記時間幅拡大回路は、所定の電圧で充電される第１の時定数回路と、この第１の時定数回路より大きな時定数を有し、所定の電圧で充電される第２の時定数回路と、これら第１および第２の時定数回路の出力電圧を比較する比較器と、この比較器の出力およびスタート信号に関連する信号が入力され、このスタート信号に関連する信号のパルス幅の間前記比較器の出力に関連する信号を出力するゲート回路とを有し、前記時間差検出回路の出力パルス幅の間前記第１の時定数回路に蓄えられた電荷を放電し、前記スタート信号のパルス幅の間前記第２の時定数回路に蓄えられた電荷を放電するようにしたものである。簡単にパルス幅を拡大することができる。
【手続補正１１】
【補正対象書類名】明細書
【補正対象項目名】００１７
【補正方法】変更
【補正の内容】
【００１７】
さらに、本発明は、前記時間幅拡大回路は、一定の電源電圧と共通電位点との間に設置された、第１分圧回路及び第２分圧回路と、前記第１分圧回路の分圧点を反転入力端子に接続するとともに前記第２分圧回路の分圧点を一定のスレッショルド電圧として非反転入力端子に接続して積分器を形成する演算増幅器と、前記演算増幅器の出力を反転入力端子に接続するとともに前記第２分圧回路の分圧点を一定のスレッショルド電圧として非反転入力端子に接続する比較器とを有し、前記時間差信号の入力により前記積分器内のコンデンサに蓄えられた電荷が放電するようにしたものである。
【手続補正１２】
【補正対象書類名】明細書
【補正対象項目名】００４８
【補正方法】変更
【補正の内容】
【００４８】
また、カウンタ３１は同期回路７の出力Ｆの１周期の間基準クロックをカウントするようにしたが、必ずしも１周期でなくてもよい。２周期や１／２周期など１周期に一定の倍率を乗算した期間であってもよい。さらに、カウンタ３１とカウンタ３２は別々の基準クロックをカウントするようにしてもよい。
【発明の効果】
以上説明したことから明らかなように、本発明によれば、次の効果が期待できる。本発明によれば、被測定信号の１周期またはその整数倍に関連する期間、基準クロックをカウントする第１のカウンタと、前記被測定信号と前記基準クロックとの時間差を検出する時間差検出回路と、この時間差検出回路の出力パルス幅を所定の倍率だけ拡大する時間幅拡大回路と、この時間幅拡大回路が拡大したパルス幅の間、基準クロックをカウントする第２のカウンタとを有し、前記第１および前記第２のカウンタのカウント値から前記被測定信号の周波数を求めるようにした。
【手続補正１３】
【補正対象書類名】明細書
【補正対象項目名】００５０
【補正方法】変更
【補正の内容】
【００５０】
また、本発明によれば、前記第２のカウンタのカウント値を前記時間幅拡大回路がパルス幅を拡大する前記所定の倍率により除算し、この除算した結果を前記第１のカウンタのカウント値に加算することによって、前記被測定信号の周波数を求めるようにした。簡単に周波数を求めることができるという効果がある。特に、時間幅拡大回路の拡大倍率を２のｎ乗に設定すると、乗算の代わりにシフト演算を用いることができるので、演算回路を大幅に簡単化できるという効果もある。
【手続補正１４】
【補正対象書類名】明細書
【補正対象項目名】００５１
【補正方法】変更
【補正の内容】
【００５１】
さらに、本発明によれば、前記時間差検出回路は、前記被測定信号のレベルが変化してから前記基準クロックのレベルが変化するまでの間のパルス幅を有するパルス信号を出力するようにした。簡単に時間差信号を得ることができるという効果がある。
【手続補正１５】
【補正対象書類名】明細書
【補正対象項目名】００５２
【補正方法】変更
【補正の内容】
【００５２】
また、本発明によれば、前記時間幅拡大回路は、所定の電圧で充電される第１の時定数回路と、この第１の時定数回路より大きな時定数を有し、所定の電圧で充電される第２の時定数回路と、これら第１および第２の時定数回路の出力電圧を比較する比較器と、この比較器の出力およびスタート信号に関連する信号が入力され、このスタート信号に関連する信号のパルス幅の間前記比較器の出力に関連する信号を出力するゲート回路とを有し、前記時間差検出回路の出力パルス幅の間前記第１の時定数回路に蓄えられた電荷を放電し、前記スタート信号のパルス幅の間前記第２の時定数回路に蓄えられた電荷を放電するようにした。
【手続補正１６】
【補正対象書類名】明細書
【補正対象項目名】００５４
【補正方法】変更
【補正の内容】
【００５４】
さらに、本発明によれば、前記時間幅拡大回路は、一定の電源電圧と共通電位点との間に設置された、第１分圧回路及び第２分圧回路と、前記第１分圧回路の分圧点を反転入力端子に接続するとともに前記第２分圧回路の分圧点を一定のスレッショルド電圧として非反転入力端子に接続して積分器を形成する演算増幅器と、前記演算増幅器の出力を反転入力端子に接続するとともに前記第２分圧回路の分圧点を一定のスレッショルド電圧として非反転入力端子に接続する比較器とを有し、前記時間差信号の入力により前記積分器内のコンデンサに蓄えられた電荷が放電するようにした。
【手続補正１７】
【補正対象書類名】明細書
【補正対象項目名】００５６
【補正方法】変更
【補正の内容】
【００５６】
また、本発明によれば、振動式圧力センサの１周期またはその整数倍に関連する期間、基準クロックをカウントする第１のカウンタと、前記被測定信号と前記基準クロックとの時間差を検出する時間差検出回路と、この時間差検出回路の出力パルス幅を所定の倍率だけ拡大する時間幅拡大回路と、この時間幅拡大回路が拡大したパルス幅の間、基準クロックをカウントする第２のカウンタとを有し、前記第１および前記第２のカウンタのカウント値から前記被測定信号の周波数を求め、この周波数から圧力を求めるようにした。
【手続補正１８】
【補正対象書類名】明細書
【補正対象項目名】００５８
【補正方法】変更
【補正の内容】
【００５８】
さらに、本発明によれば、前記第２のカウンタのカウント値を前記時間幅拡大回路がパルス幅を拡大する前記所定の倍率により除算し、この除算した結果を前記第１のカウンタのカウント値に加算することによって、前記被測定信号の周波数を求めるようにした。簡単に周波数を求めることができるという効果がある。特に、時間幅拡大回路の拡大倍率を２のｎ乗に設定すると、乗算の代わりにシフト演算を用いることができるので、演算回路を大幅に簡単化できるという効果もある。
【手続補正１９】
【補正対象書類名】明細書
【補正対象項目名】００５９
【補正方法】変更
【補正の内容】
【００５９】
また、本発明によれば、前記時間差検出回路は、前記被測定信号のレベルが変化してから前記基準クロックのレベルが変化するまでの間のパルス幅を有するパルス信号を出力するようにした。簡単に時間差信号を求めることができるという効果がある。
【手続補正２０】
【補正対象書類名】明細書
【補正対象項目名】００６０
【補正方法】変更
【補正の内容】
【００６０】
さらに、本発明によれば、前記時間幅拡大回路は、所定の電圧で充電される第１の時定数回路と、この第１の時定数回路より大きな時定数を有し、所定の電圧で充電される第２の時定数回路と、これら第１および第２の時定数回路の出力電圧を比較する比較器と、この比較器の出力およびスタート信号に関連する信号が入力され、このスタート信号に関連する信号のパルス幅の間前記比較器の出力に関連する信号を出力するゲート回路とを有し、前記時間差検出回路の出力パルス幅の間前記第１の時定数回路に蓄えられた電荷を放電し、前記スタート信号のパルス幅の間前記第２の時定数回路に蓄えられた電荷を放電するようにした。
【手続補正２１】
【補正対象書類名】明細書
【補正対象項目名】００６２
【補正方法】変更
【補正の内容】
【００６２】
また、本発明によれば、前記時間幅拡大回路は、一定の電源電圧と共通電位点との間に設置された、第１分圧回路及び第２分圧回路と、前記第１分圧回路の分圧点を反転入力端子に接続するとともに前記第２分圧回路の分圧点を一定のスレッショルド電圧として非反転入力端子に接続して積分器を形成する演算増幅器と、前記演算増幅器の出力を反転入力端子に接続するとともに前記第２分圧回路の分圧点を一定のスレッショルド電圧として非反転入力端子に接続する比較器とを有し、前記時間差信号の入力により前記積分器内のコンデンサに蓄えられた電荷が放電するようにした。